(57)【要約】【課題】紙の裁断も快速で、数十枚の紙を同時にシュレッダーすることができ、砕断率が完全である多刃式シュレッダーの刀具構造を提供する。【解決手段】  多刃式シュレッダーの刀具構造は、二つの円筒形カッターからなり、各カッターは、多辺形の軸棒、及び、軸棒上に設置された複数の断差刀片、からなり、且つ、相隣する断差刀片間には、間を隔てる導紙片を有し、カッター上の断差刀片は、交錯方式で組み立てられる。断差刀片は、二つの刀片からなり、断差刀片上の刀片の裁断刃は、断差刀片に敷き詰められ、緊密に組み合わされる。相隣する裁断刃間の距離は、大変小さい。また、二つの刀片からなる段差刀片が、反時計回りで、軸棒に装着され、軸棒の半分の位置に装着される時、時計回りで、軸棒のもう半分の位置に装着され、放射線状の裁断刃紋路に組み立てられる。【選択図】図１
0003111329.tif 000002
【実用新案登録請求の範囲】
【請求項１】
多刃式シュレッダーの刀具の改良構造であって、二つの相反する方向に回転する円筒形カッターを有し、各カッターは、多辺形の軸棒、及び、軸棒上に設置された複数の断差刀片、からなり、且つ、相隣する前記断差刀片間には、間を隔てる導紙片を有し、前記カッター上の断差刀片は、交錯方式で組み立てられ、前記断差刀片は、二つの刀片からなり、前記断差刀片上の刀片の裁断刃は、前記断差刀片に敷き詰められて、緊密に組み合わされ、相隣する裁断刃間の距離は、大変小さく、数十枚の紙を同時に、断差刀片内に挿入させても、下向きに引っ張る力で裁断され、その特徴は、
二つの刀片からなる断差刀片を軸棒上に装着し、放射状裁断刃紋路を組み立てることを特徴とする多刃式シュレッダーの刀具構造。
【考案の詳細な説明】
【技術分野】
【０００１】
本考案は、多刃式シュレッダーの刀具構造に関するものであって、特に、二つの刀片からなる段差刀片は、反時計回りで、軸棒の半分の位置に装着され、更に、時計回りで、軸棒のもう半分の位置に装着され、放射線状の裁断刃紋路をなし、紙が、刀具内に斜偏入しにくく、砕断率が完全な多刃式シュレッダーの刀具構造に関するものである。
【背景技術】
【０００２】
公知の多刃式シュレッダーの刀具は、図２〜図５で示されるように、モーター１００により、複数のギアからなる減速機２００を帯動して回転させるもので、減速機２００は、二つの刀具の軸棒１２と軸接され、刀具は、二つの円筒形カッター１０、１０’からなり、各カッター１０、１０’は、多辺形の軸棒１２、及び、軸棒１２上に設置された複数の断差刀片１４、からなり、且つ、相隣する断差刀片１４間には、間を隔てる導紙片１６を有し、カッター１０、１０’上の断差刀片１４は、交錯方式で組み立てられる。断差刀片１４は、二つの刀片からなり、断差刀片１４上の刀片の裁断刃１８は、それぞれ、１１〜１２片ある。相隣する裁断刃１８間の距離は、大変小さく（図５を参照）、紙が裁断刃１８に至る時間が短く、故に、断差刀片１４が紙を裁断する速度が速い。更に、図２で示されるように、カッター１０、１０’上の断差刀片１４は、交錯して、緊密に刀刃を組みあわせ、紙を断差刀片１４間に挿入し、下向けに引っ張る力で、更に砕き、多枚数の紙は、簡単に紙屑になり、一度に挿入する枚数が多くても、裁断する時間があまりかからない。
【０００３】
しかし、上述の公知の多刃式シュレッダーの組み立て方式において、二つの刀片からなる断差刀片１４は、まず、時計回りに、軸棒１２に装着され、断差刀片１４が軸棒１２中央の半分の位置（約１7組の断差刀片１４）に装着された時、更に、反時計回りの方向に、軸棒１２のもう半分の位置に装着され、これにより、図２で示されるように、組み立てられる。菱形の裁断刃紋路１８１の構造は、その特色として、カッター１０、１０’は、中間交錯の距離が広く、両側の交錯距離は密集している。紙は、頂端の二つの刀具間からシュレッダーに挿入する時、紙が斜向一辺に挿入する場合、公知のシュレッダーでは、紙の両側の部分を砕くのが困難で、中間の大部分だけが砕かれて、両側の小部分は、そのまま残る情況が発生する。
【考案の開示】
【考案が解決しようとする課題】
【０００４】
本考案は、多刃式シュレッダーの刀具構造を提供することを目的とする。
【課題を解決するための手段】
【０００５】
本考案の多刃式シュレッダーの刀具構造は、二つの刀片からなる段差刀片が、反時計回りで、軸棒の半分の位置に装着され、更に、時計回りで、軸棒のもう半分の位置に装着され、放射線状の裁断刃紋路に組み立てられて、砕断率が完全である。
【考案の効果】
【０００６】
本考案によると、二つの刀片からなる段差刀片は、軸棒に装着される時、放射線状の裁断刃紋路に組み立てられて、砕断率を向上させる。
【考案を実施するための最良の形態】
【０００７】
以下、本考案の実施例について、図面を参照しながら説明する。
【０００８】
図１を参照すると、本考案は、モーター１００により、複数のギアからなる減速機２００を帯動して回転させるもので、減速機２００は、二つの刀具の軸棒１２と軸接され、刀具は、二つの円筒形カッター１０、１０’からなり、各カッター１０、１０’は、多辺形の軸棒１２、及び、軸棒１２上に設置された複数の断差刀片１４、からなり、且つ、相隣する断差刀片１４間には、間を隔てる導紙片１６を有し、カッター１０、１０’上の断差刀片１４は、交錯方式で組み立てられる。断差刀片１４は、二つの刀片からなり、その特徴は以下の様である。
【０００９】
シュレッダーの刀具の組み立て方式により形成される構造は、二つの刀片からなる段差刀片１４は、反時計回りで、軸棒１２に装着され、段差刀片１４が、軸棒１２中央の半分の位置（約１7組の断差刀片１４）に装着された時、更に、時計回りの方向に、軸棒１２のもう半分の位置に装着され、これにより、放射線状の裁断刃紋路１８２に組み立てられ、カッター１０、１０’は、中間交錯の距離が広く、両側の交錯距離は密集している。つまり、軸棒１２は、組み立てられる前に、３０度旋転し、カッター１０、１０’の軸棒１２は、辺対辺、或いは、各対角の同方向に組み立てられる。紙が、頂端の二つの刀具間からシュレッダーに挿入される時、紙が斜向一辺に挿入する場合、紙の両側の部分も砕かれ、砕断率が完全である。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の多刃式シュレッダーの刀具構造の立体図である。
【図２】公知の多刃式シュレッダーの刀具の外観図である。
【図３】公知の多刃式シュレッダーの刀具の上視図である。
【図４】公知の多刃式シュレッダーの刀具の部分構造図である。
【図５】公知の多刃式シュレッダーの刀具の断差刀片の側面図である。
【符号の説明】
【００１２】
１０、１０’…カッター
１２…軸棒
１４…断差刀片
１６…導紙片
１８…裁断刃
１８１、１８２…裁断刃紋路
１００…モーター
２００…減速機    
【図１】
0003111329.tif 000003
【図２】
0003111329.tif 000004
【図３】
0003111329.tif 000005
【図４】
0003111329.tif 000006
【図５】
0003111329.tif 000007